(57)【要約】【課題】軒天板の軒先の出方向のガタツキを防止することができ、しかも釘やビス等の留め付け具が下面側から目立たず、補修する必要のない軒天構造を提供する。【解決手段】軒先側固定金具６Ａを屋内側にスライドさせ、垂下片６ｃによって軒天板１の軒先側の端面を軒元側に向かって押圧した状態で、軒天板１の下面側から軒天板１と前記上側支持片６ａとを釘やビス等の留め付け具８によって野縁２に留め付けることにより、軒天板１をガタツキなく取付けることができるようにし、軒先側見切り縁７Ａの挿し込み部７ｄを軒先側固定金具６Ａの下側支持片６ｂと軒天板１の下面との間に挿し込み、この挿し込み量を調整しながら軒先側見切り縁７Ａの上側部７ａを鼻隠し下地４の所定の位置に釘やビス等の留め付け具９によって留め付けることにより、軒先側見切り縁７Ａによって軒先側固定金具６Ａの留め付け具８と軒先側固定金具６Ａ自体を隠すようにした。【選択図】図１
2020125607.tif 000002
【特許請求の範囲】
【請求項１】
軒天板の軒元側を野縁もしくは外壁に軒元側支持部材を介して支持し、軒天板の軒先側を野縁もしくは鼻隠し下地に軒先側支持部材を介して支持する軒天構造において、前記軒先側支持部材は、軒天板の軒先側を鼻隠し下地もしくは野縁に対して固定する軒先側固定金具と、この軒先側固定金具を覆う、鼻隠し下地もしくは野縁に取り付けられる軒先側見切り縁とからなり、前記軒先側固定金具は、軒天板の上面に位置する上側支持片と、軒天板の下面に位置する下側支持片と、前記上側支持片と下側支持片とを繋ぎ、軒天板の軒先側の端面に対して対向し、軒天板の軒先側の端面を軒元側に向かって押圧する垂下片とを備え、垂下片によって軒天板の軒先側の端面を軒元側に向かって押圧した状態で、軒天板の下面側から軒天板と前記上側支持片とを釘やビス等の留め付け具によって野縁に留め付け、前記軒先側見切り縁は、鼻隠し下地もしくは野縁に留め付けられる上側部と、前記軒先側固定金具を隠す下側部と、上側部と下側部を繋ぐ立上部とを備え、前記下側部は、前記軒先側固定金具の下側支持片の軒元側先端を越えて軒元側に延び、軒元側から軒先側に向かって上方に折り返され、この折り返された部分が、前記軒先側固定金具の下側支持片と軒天板の下面との間に挿し込まれる挿し込み部を構成することを特徴とする軒天構造。
【請求項２】
前記軒先側見切り縁の立上部に天井裏に通じる通気口を設け、この通気口を有する立上部が通気壁を構成する請求項１記載の軒天構造。
【請求項３】
前記軒先側見切り縁の上側部に、屋外側端から上側に折り返された折り返し部を設け、この折り返し部を立上部の屋内側に超える位置まで延長し、この延長部の屋内側端部を下向きに折り返し、この折り返し部が水返し片を構成する請求項２に記載の軒天構造。
【請求項４】
前記軒先側見切り縁の下側部の内側に、火災時の熱で膨張する熱膨張防火材を、膨張時に立上部の通気口を遮蔽するように配置したことを特徴とする請求項２または３に記載の軒天構造。
【請求項５】
前記軒先側見切り縁の上側部の屋外側の端部に下向きに垂下部を設け、この垂下部の下端に屋外側に向かって延長させた第２下側部を設け、この第２下側部の屋外側の端部に、鼻隠しに当接する第３立上部を設け、前記垂下部に第２通気口を形成し、前記垂下部と第２下側部と第３立上部とにより軒先側に第２通気空間を形成したことを特徴とする請求項２〜４のいずれかの項に記載の軒天構造。
【請求項６】
前記第３立上部を鼻隠し下地の下面に当接するまで上方に延長し、この第３立上部の上端を屋外側に折り曲げて、鼻隠し下地の下面に当接する第２上側部を設け、この第２上側部を前記鼻隠し下地の下面に固定し、前記第３立上部に第３通気口を形成したことを特徴とする請求項５に記載の軒天構造。
【請求項７】
前記第３立上部と垂下部の長さを、前記立上部の長さよりも下向きに延長させたことを特徴とする請求項６に記載の軒天構造。
【請求項８】
前記軒元側支持部材は、軒元側見切り縁と軒元側固定金具とからなり、軒元側見切り縁と軒元側固定金具が野縁の下面から上向きに打ち込まれた釘やビス等の留め付け具によって野縁に固定されている請求項１〜７のいずれかの項に記載の軒天構造。
【請求項９】
前記軒元側固定金具は、軒天板の軒元側の上側に位置する上側部と、軒天板の軒元側の下側に位置する下側部と、これらを繋ぐ立上部とを備える断面略コ字形状を呈し、前記上側部に、釘やビス等の留め付け具を挿通する挿通孔を設けている請求項８に記載の軒天構造。
【請求項１０】
前記軒元側固定金具の下側部の上面に、軒天板を上側部に押し上げる付勢部を設けている請求項９に記載の軒天構造。
【請求項１１】
前記軒元側固定金具の立上部に、前記軒天板を軒先側に付勢する付勢部を設けている請求項８〜１０のいずれかの項に記載の軒天構造。
【請求項１２】
幅方向に隣り合う軒天板の接合部分にジョイント金具を備え、このジョイント金具は、幅方向に隣り合う軒天板の突合せ部分に位置する垂直板部と、この垂直板部の上方両側に設けられ、幅方向に隣り合う軒天板の上面に位置する一対の上面板部と、前記垂直板部の下方両側に設けられ、幅方向に隣り合う軒天板の端面に形成された雌サネ部に挿し込まれる挿し込み部とからなり、幅方向に隣り合う軒天板の上面に位置する一対の上面板部のうちの少なくとも一方を野縁等の下地に留め付けることを特徴とする請求項１〜１０のいずれかの項に記載の軒天構造。
【請求項１３】
前記雌サネ部に挿し込まれる挿し込み部に、軒天板を押し上げる付勢部を設けたことを特徴とする請求項１２に記載の軒天構造。
【請求項１４】
幅方向に隣り合う軒天板の接合部分にジョイント金具を備え、このジョイント金具は、野縁等に縦面に固定される固定板と、この固定板の下方に設けられ、軒天板の上面に位置する上面板と、この上面板に設けられ、幅方向に隣り合う軒天板の突合せ部分に挿し込まれるストッパー部とからなる請求項１〜１０のいずれかの項に記載の軒天構造。
【請求項１５】
幅方向に隣り合う軒天板の接合部分にジョイント金具を備え、このジョイント金具は、鼻隠し下地、外壁もしくは野縁の縦面に固定される固定板と、この固定板の下方に設けられ、軒天板の上面に位置する上面板と、この上面板と別体に設けられ、幅方向に隣り合う軒天板の突合せ部分に挿し込まれるストッパー部とからなり、前記上面板は、幅方向に隣り合う軒天板の突合せ部分に設けられた上面溝に重なるスリットを有し、前記ストッパーは、前記上面板の上面に重なる係合板部と、隣り合う軒天板の突合せ部分の上面溝に、前記上面板のスリットを介して嵌め込まれる嵌合部とからなる請求項１〜１０のいずれかの項に記載の軒天構造。
【請求項１６】
前記上面板の下面に、幅方向に隣り合う軒天板の突合せ部分の上面溝に係合する位置決め突起を備えることを特徴とする請求項１５に記載の軒天構造。
【発明の詳細な説明】
【技術分野】
【０００１】
この発明は、建物の軒天構造に関する。
【背景技術】
【０００２】
軒天板の施工においては、軒天板の下面から釘やビス等の留め付け具によって軒天板を建物側の野縁等に固定するのが一般的である。その場合、釘やビス等の留め付け具の頭部が目立たないように補修する必要があり、その補修個所が経年劣化によって目立つという不具合がある。
【０００３】
また、従来、図３１又は図３２に示すように、軒先側の鼻隠し下地１００もしくは野縁１０１に取り付けた見切り縁１０２に、軒天板１０３の軒先側を支持する軒天板支持片１０４を設けた軒天板の軒先側支持部材が知られている。
【先行技術文献】
【特許文献】
【０００４】
【特許文献１】特開２００１−９８６９３号公報
【特許文献２】特開平０７−３３１７９３号公報
【発明の概要】
【発明が解決しようとする課題】
【０００５】
しかしながら、特許文献１および特許文献２の軒天板の軒先側支持部材は、軒天板１０３の軒先側を支持する軒天板支持片１０４が、軒先側の鼻隠し下地１００もしくは野縁１０１に取り付けた見切り縁１０２に一体に設けられているため、軒天板支持片１０４の軒先出方向の位置が一定で変更できない。
【０００６】
このため、軒天板１０３の軒先側の端面と軒天板支持片１０４との間に隙間ができて、軒天板１０３にガタが生じ易い。
【０００７】
軒天板１０３にガタツキがあると、防火、防水、耐風圧の面で好ましくない。
【０００８】
そこで、この発明は、軒天板の軒先の出方向のガタツキを防止することができ、しかも釘やビス等の留め付け具が下面側から目立たず、補修する必要のない軒天構造を提供することを課題とするものである。
【課題を解決するための手段】
【０００９】
前記の課題を解決するために、この発明は、軒天板の軒元側を野縁もしくは外壁に軒元側支持部材を介して支持し、軒天板の軒先側を野縁もしくは鼻隠し下地に軒先側支持部材を介して支持する軒天構造において、前記軒先側支持部材は、軒天板の軒先側を鼻隠し下地もしくは野縁に対して固定する軒先側固定金具と、この軒先側固定金具を覆う、鼻隠し下地もしくは野縁に取り付けられる軒先側見切り縁とからなり、前記軒先側固定金具は、軒天板の上面に位置する上側支持片と、軒天板の下面に位置する下側支持片と、前記上側支持片と下側支持片とを繋ぎ、軒天板の軒先側の端面に対して対向し、軒天板の軒先側の端面を軒元側に向かって押圧する垂下片とを備え、垂下片によって軒天板の軒先側の端面を軒元側に向かって押圧した状態で、軒天板の下面側から軒天板と前記上側支持片とを釘やビス等の留め付け具によって野縁に留め付け、前記軒先側見切り縁は、鼻隠し下地もしくは野縁に留め付けられる上側部と、前記軒先側固定金具を隠す下側部と、上側部と下側部を繋ぐ立上部とを備え、前記下側部は、前記軒先側固定金具の下側支持片の軒元側先端を越えて軒元側に延び、軒元側から軒先側に向かって上方に折り返され、この折り返された部分が、前記軒先側固定金具の下側支持片と軒天板の下面との間に挿し込まれる挿し込み部を構成することを特徴とする。
【００１０】
この発明の軒天構造は、前記軒先側固定金具の垂下片によって軒天板の軒先側の端面を軒元側に向かって押圧した状態で、軒天板の下面側から軒天板と前記上側支持片とを釘やビス等の留め付け具によって野縁に留め付けることにより、軒天板をガタツキなく取付けることができる。
【００１１】
そして、軒先側固定金具によって軒天板を軒元側方向に押し付けることにより、軒先側固定金具の軒先の出方向の位置が変わっても、軒先側見切り縁の挿し込み部を軒先側固定金具の下側支持片と軒天板の下面との間に挿し込み、この挿し込み量を調整しながら軒先側見切り縁の取付部を鼻隠し下地の所定の位置に釘やビス等の留め付け具によって留め付けることにより、軒先側見切り縁によって軒先側固定金具の留め付け具と軒先側固定金具自体を隠すことができるので、下方から見たときの美観が損われない。
【００１２】
前記軒先側見切り縁の立上部に天井裏に通じる通気口を設け、この通気口を有する立上部を通気壁として機能させることにより、軒天裏の換気を向上させることができる。
【００１３】
前記軒先側見切り縁の上側部に、屋外側端から上側に折り返された折り返し部を設け、この折り返し部を立上部の屋内側に超える位置まで延長し、この延長部の屋内側端部を下向きに折り返し、この折り返し部を水返し片にすることにより、軒天裏への雨水の浸入を抑制することができる。
【００１４】
前記軒先側見切り縁の下側部の内側に、火災時の熱で膨張する熱膨張防火材を、膨張時に立上部の通気口を遮蔽するように配置することが好ましい。
【００１５】
前記軒先側見切り縁の上側部の屋外側の端部に下向きに垂下部を設け、この垂下部の下端に屋外側に向かって延長させた第２下側部を設け、この第２下側部の屋外側の端部に、鼻隠しに当接する第３立上部を設け、前記垂下部に第２通気口を形成し、前記垂下部と第２下側部と第３立上部とにより軒先側に第２通気空間を形成すると、軒天裏の換気がさらに向上する。
【００１６】
前記第３立上部を鼻隠し下地の下面に当接するまで上方に延長し、この第３立上部の上端を屋外側に折り曲げて、鼻隠し下地の下面に当接する第２上側部を設け、この第２上側部を前記鼻隠し下地の下面に固定し、前記第３立上部に第３通気口を形成することにより、軒天裏の換気がさらに向上する。
【００１７】
前記第３立上部と垂下部の長さを、前記立上部の長さよりも下向きに延長させることにより、さらに軒天裏の換気を向上させることができる。
【００１８】
前記軒元側支持部材は、軒元側見切り縁と軒元側固定金具とからなり、軒元側見切り縁と軒元側固定金具が野縁の下面から上向きに打ち込まれた釘やビス等の留め付け具によって野縁に固定されるようにしてもよい。
【００１９】
前記軒元側固定金具は、軒天板の軒元側の上側に位置する上側部と、軒天板の軒元側の下側に位置する下側部と、これらを繋ぐ立上部とを備える断面略コ字形状を呈し、前記上側部に、釘やビス等の留め付け具を挿通する挿通孔を設けることができる。
【００２０】
前記軒元側固定金具の下側部の上面に、軒天板を上側部に押し上げる付勢部を設けるようにしてもよい。
【００２１】
前記軒元側固定金具の立上部に、前記軒天板を軒先側に付勢する付勢部を設けるようにしてもよい。
【００２２】
また、幅方向に隣り合う軒天板の接合部分の横ずれ防止、垂れ防止又は野縁等に対する固定強度の向上のために、軒天板の接合部分にジョイント金具を使用してもよい。
【００２３】
ジョイント金具としては、幅方向に隣り合う軒天板の突合せ部分に位置する垂直板部と、この垂直板部の上方両側に設けられ、幅方向に隣り合う軒天板の上面に位置する一対の上面板部と、前記垂直板部の下方両側に設けられ、幅方向に隣り合う軒天板の端面に形成された雌サネ部に挿し込まれる挿し込み部とを有し、幅方向に隣り合う軒天板の上面に位置する一対の上面板部のうちの少なくとも一方を野縁等の下地に留め付けるものを使用することができる。
【００２４】
前記雌サネ部に挿し込まれる挿し込み部には、軒天板を押し上げる付勢部を設けることができる。
【００２５】
また、ジョイント金具として、野縁等の縦面に固定される固定板と、この固定板の下方に設けられ、軒天板の上面に位置する上面板と、この上面板に設けられ、幅方向に隣り合う軒天板の突合せ部分に挿し込まれるストッパー部とからなるものを使用することができる。
【００２６】
また、ジョイント金具として、鼻隠し下地、外壁もしくは野縁の縦面に固定される固定板と、この固定板の下方に設けられ、軒天板の上面に位置する上面板と、この上面板と別体に設けられ、幅方向に隣り合う軒天板の突合せ部分に挿し込まれるストッパー部とを有し、前記上面板は、幅方向に隣り合う軒天板の突合せ部分に設けられた上面溝に重なるスリットを備え、前記ストッパーは、前記上面板の上面に重なる係合板部と、隣り合う軒天板の突合せ部分の上面溝に、前記上面板のスリットを介して嵌め込まれる嵌合部とからなるものを使用することができる。
【００２７】
前記上面板の下面に、幅方向に隣り合う軒天板の突合せ部分の上面溝に係合する位置決め突起を備えるようにしてもよい。
【発明の効果】
【００２８】
以上のように、この発明によれば、軒先側固定金具の垂下片によって軒天板の軒先側の端面を軒元側に向かって押圧した状態で、軒天板の下面側から軒天板と前記上側支持片とを釘やビス等の留め付け具によって野縁に留め付けることにより、軒天板をガタツキなく取付けることができる。そして、軒先側固定金具によって軒天板を軒元側方向に押し付けることにより、軒先側固定金具の軒先の出方向の位置が変わっても、軒先側見切り縁の挿し込み部を軒先側固定金具の下側支持片と軒天板の下面との間に挿し込み、この挿し込み量を調整しながら軒先側見切り縁の取付部を鼻隠し下地の所定の位置に釘やビス等の留め付け具によって留め付けることにより、軒先側見切り縁によって軒先側固定金具の留め付け具と軒先側固定金具自体を隠すことができるので、下方から見たときの美観が損われない。
【図面の簡単な説明】
【００２９】
【図１】この発明の実施形態にかかる軒天構造の側面視による説明図である。
【図２】図１の軒天構造で用いられている軒先側見切り縁の斜視図である。
【図３】図１の軒天構造で用いられている軒先側固定金具の斜視図である。
【図４】図１の軒天構造で用いられている軒元側見切り縁の斜視図である。
【図５】図１の軒天構造で用いられている軒元側固定金具の斜視図である。
【図６】この発明の他の実施形態にかかる軒天構造の軒先側の側面視による説明図である。
【図７】この発明の他の実施形態にかかる軒天構造の軒先側の側面視による説明図である。
【図８】この発明の他の実施形態にかかる軒天構造の軒先側の側面視による説明図である。
【図９】この発明の他の実施形態にかかる軒天構造の軒先側の側面視による説明図である。
【図１０】この発明に係る軒天構造の軒元側の他の実施形態の側面視による説明図である。
【図１１】図１０の軒天構造で用いられている軒元側固定金具の斜視図である。
【図１２】この発明に係る軒天構造の軒元側の他の実施形態の側面視による説明図である。
【図１３】図１２の軒天構造で用いられている軒元側固定金具の斜視図である。
【図１４】この発明に係る軒天構造の軒元側の他の実施形態の側面視による説明図である。
【図１５】図１４の軒天構造で用いられている軒元側固定金具の斜視図である。
【図１６】ジョイント金具を使用する隣り合う軒天板の突合せ部分の一例を示す断面図である。
【図１７】図１６の軒天板の突合せ部分で用いられているジョイント金具の斜視図である。
【図１８】図１６のジョイント金具を使用した隣り合う軒天板の突合せ部分の他の例を示す断面図である。
【図１９】ジョイント金具の他の例を使用した隣り合う軒天板の突合せ部分を示す断面図である。
【図２０】図１９のジョイント金具の斜視図である。
【図２１】ジョイント金具の他の例を使用した隣り合う軒天板の突合せ部分を示す断面図である。
【図２２】図２１のジョイント金具の斜視図である。
【図２３】ジョイント金具の他の例を使用した隣り合う軒天板の突合せ部分を示す断面図である。
【図２４】図２３の斜視図である。
【図２５】ジョイント金具の他の例を使用した隣り合う軒天板の突合せ部分を示す斜視図である。
【図２６】図２５の部分断面図である。
【図２７】ジョイント金具の他の例を使用した隣り合う軒天板の突合せ部分を示す斜視図である。
【図２８】図２７の部分断面図である。
【図２９】従来の軒天板の軒先側支持部材を示す断面図である。
【図３０】従来の軒天板の軒先側支持部材の他の例を示す断面図である。
【発明を実施するための形態】
【００３０】
以下、この発明の実施形態を添付図面に基づき具体的に説明する。
図１に示す実施形態の軒天構造においては、軒天板１の軒元側を野縁２に軒元側支持部材３を介して支持し、軒天板１の軒先側を、野縁２及び鼻隠し下地４に軒先側支持部材５を介して支持している。
【００３１】
前記軒先側支持部材５は、野縁２に対して固定する軒先側固定金具６Ａと、この軒先側固定金具６Ａを覆う軒先側見切り縁７Ａとからなる。前記軒先側固定金具６Ａは、野縁２に対して軒天板１と共に固定され、前記軒先側見切り縁７Ａは、鼻隠し下地４に取り付けられる。
【００３２】
前記軒先側見切り縁７Ａは、図２に示すように、桁行方向に長い長尺部材（例えば３０００ｍｍ程度）とされるのに対し、図３に示す前記軒先側固定金具６Ａは、桁行方向に間隔（例えば４５５ｍｍ間隔）を置いて配置される。
【００３３】
前記軒先側固定金具６Ａは、図３に示すように、軒天板１の上面に位置する上側支持片６ａと、軒天板１の下面に位置する下側支持片６ｂと、前記上側支持片６ａと下側支持片６ｂとを繋ぎ、軒天板１の軒先側の端面に対して対向し、軒天板１の軒先側の端面を軒元側に向かって押圧する垂下片６ｃとを備えている。
【００３４】
また、前記軒先側固定金具６Ａの下側支持片６ｂの軒元側の先端は、下方に広げられており、上側支持片６ａと下側支持片６ｂの間に、軒天板１の軒先側を挿し込む際に、軒天板１を挿し込み易くしている。
【００３５】
前記軒先側見切り縁７Ａは、図２に示すように、上側部７ａと、下側部７ｂと、これらを繋ぐ斜め立上部７ｃとを備えた断面略Ｚ字形状をなしている。前記軒先側見切り縁７Ａの上側部７ａの屋外側端は、上側に折り返されている。同様に、前記軒先側見切り縁７Ａの下側部７ｂの屋内側端も、上側に折り返されており、この折り返された部分が、前記軒先側固定金具６Ａの下側支持片６ｂと軒天板１の下面との間に挿し込まれる挿し込み部７ｄを構成している。
【００３６】
前記軒先側見切り縁７Ａの上側部７ａは、前記鼻隠し下地４の下面側から上向きに打ち込まれた釘やビス等の留め付け具９によって、前記鼻隠し下地４の下面に固定されている。前記鼻隠し下地４の屋外側には軒先側の建物部材である鼻隠し１４が取り付けられている。前記鼻隠し１４は、その下端部が前記軒先側見切り縁７Ａの下端よりも下方に突出するように設けられている。
【００３７】
前記軒先側見切り縁７Ａの立上部７ｃには、天井裏に通じる通気口１０が設けられ、立上部７ｃが通気壁を構成し、この立上部７ｃの通気口１０により、軒天裏と屋外とを連通させることで、軒天裏の換気が行えるようにしている。
【００３８】
一方、図１に示す実施形態の軒天構造の軒元側支持部材３は、図４に示す軒元側見切り縁１１Ａと図５に示す軒元側固定金具１２Ａとからなり、軒元側見切り縁１１Ａと軒元側固定金具１２Ａが、野縁２の下面から上向きに打ち込まれた釘やビス等の留め付け具１３によって、野縁２に固定されている。
【００３９】
前記軒元側見切り縁１１Ａは、桁行方向に長い長尺部材（例えば３０００ｍｍ程度）とされるのに対し、前記軒元側固定金具１２Ａは桁行方向に間隔（例えば４５５ｍｍ間隔）を置いて配置される短尺部材とされる。前記留め付け具１３は、前記軒元側固定金具１２Ａ及び前記軒元側見切り縁１１Ａの上側部を貫通して前記野縁２の下面に打ち込まれている。前記軒元側固定金具１２Ａは前記軒元側見切り縁１１Ａごと前記野縁２に固定されている。
【００４０】
前記軒元側見切り縁１１Ａは、図４に示すように、上側部１１ａと、下側部１１ｂと、これらを繋ぐ立上部１１ｃとを備えて断面略コ字形状を有している。また、図５に示すように、前記軒元側固定金具１２Ａも同様に、上側部１２ａと、下側部１２ｂと、これらを繋ぐ立上部１２ｃとを備えて断面略コ字形状を有し、上側部１２ａに、釘やビス等の留め付け具１３を挿通する挿通孔１２ｄを設けている。
【００４１】
前記軒元側見切り縁１１Ａは、前記軒元側固定金具１２Ａの外面を覆うことができるように、当該軒元側固定金具１２Ａよりも一回り大きく形成されている。この軒元側見切り縁１１Ａの上側部１１ａは、前記野縁２の下面に当接しており、前記立上部１１ｃは外壁材あるいは外壁下地の表面に当接している。
【００４２】
また、前記軒元側固定金具１２Ａの上側部１２ａは、例えば水平配置される軒天板１の軒元側の上側に位置しており、下側部１２ｂは前記軒天板１の軒元側の下側に位置しており、立上部１２ｃには前記軒天板１の屋内側の端面が突き当てられる。
【００４３】
そして、前記軒元側見切り縁１１Ａの上側部１１ａの屋外側端は、下側に折り返されており、この折り返された部分は、前記軒元側固定金具１２Ａの上側部１２ａの屋外側端に係止される。同様に、前記軒元側見切り縁１１Ａの下側部１１ｂの屋外側端は、上側に折り返されており、この折り返された部分は、前記軒元側固定金具１２Ａの下側部１２ｂの屋外側端に係止される。
【００４４】
図１に示す軒天構造を施工する手順としては、例えば、前記軒元側固定金具１２Ａを軒元側見切り縁１１Ａに装着した状態で、前記軒元側固定金具１２Ａと軒元側見切り縁１１Ａを、所定ピッチで釘やビス等の留め付け具１３によって野縁２に固定する（軒元側見切り縁１１Ａを先付けした後で、軒元側固定金具１２Ａを固定する場合もある。）。
【００４５】
そして、前記軒天板１の軒元側を前記軒元側固定金具１２Ａの上側部１２ａと下側部１２ｂの間に差し込み、また、前記軒天板１の軒先側を持ち上げ、この軒先側を軒先側固定金具６Ａの上側支持片６ａと下側支持片６ｂの間に挿し込んで軒先側固定金具６Ａを軒天板１の軒先側に装着する。さらに、前記軒先側固定金具６Ａを屋内側にスライドさせ、垂下片６ｃによって軒天板１の軒先側の端面を軒元側に向かって押圧した状態で、軒天板１の下面側から軒天板１と前記上側支持片６ａとを釘やビス等の留め付け具８によって野縁２に留め付ける。
【００４６】
この後、前記軒先側見切り縁７Ａの挿し込み部７ｄを軒先側固定金具６Ａの下側支持片６ｂと軒天板１の下面との間に挿し込み、この挿し込み量を調整しながら前記軒先側見切り縁７Ａの上側部７ａを鼻隠し下地４の所定の位置に釘やビス等の留め付け具９によって留め付ける。
【００４７】
このように、図１に示す軒天構造では、垂下片６ｃによって軒天板１の軒先側の端面を軒元側に向かって押圧した状態で、軒天板１の下面側から軒天板１と前記上側支持片６ａとを釘やビス等の留め付け具８によって野縁２に留め付けることにより、軒天板１をガタツキなく取付けることができる。
【００４８】
そして、軒先側固定金具６Ａによって軒天板１を軒元側方向に押し付けることにより、軒先側固定金具６Ａの軒先の出方向の位置が変わっても、軒先側見切り縁７Ａの挿し込み部７ｄを軒先側固定金具６Ａの下側支持片６ｂと軒天板１の下面との間に挿し込み、この挿し込み量を調整しながら軒先側見切り縁７Ａの上側部７ａを鼻隠し下地４の所定の位置に釘やビス等の留め付け具９によって留め付けることにより、軒先側見切り縁７Ａによって軒先側固定金具６Ａの留め付け具８と軒先側固定金具６Ａ自体を隠すことができるので、下方から見たときの美観が損われない。
【００４９】
次に、図６はこの発明の軒天構造の他の実施形態を示している。この実施形態は、図１の軒先側見切り縁７Ａの変形例である軒先側見切り縁７Ｂを用いた例である。軒先側見切り縁７Ａと軒先側見切り縁７Ｂで共通する部位には同一の符号を付し、重複する説明を省略する。なお、以下の各種の例においても、共通する部位は同一の符号を付し、重複する説明を省略する。
【００５０】
この図６の軒先側見切り縁７Ｂは、上側部７ａの屋外側端から上側に折り返された折り返し部を、立上部７ｃを屋内側に超える位置まで延長し、この延長部の屋内側端部を、前記通気口１０からの気流（矢印）の通過箇所に至るように下向きに折り返し、この折り返し部の端部を水返し片７ｅとして機能させ、軒天裏への雨水の浸入を抑制できるようにしている。
【００５１】
また、前記軒先側見切り縁７Ｂの下側部７ｂの内側には、火災時の熱で膨張する熱膨張防火材１５を、膨張時に立上部７ｃの通気口１０を遮蔽するように配置している。例えば、前記熱膨張防火材１５は、テープ状に形成されており、前記軒先側見切り縁７Ｂの下側部７ｂの内面上で且つ前記通気口１０の下方側となる位置において桁行方向に貼られている。
【００５２】
また、図７もこの発明の軒天構造に用いる軒先側見切り縁７Ａの他の例である軒先側見切り縁７Ｃを示している。
【００５３】
この図７の軒先側見切り縁７Ｃは、上側部７ａの屋外側の端部に下向きに設けられた垂下部７ｆと、この垂下部７ｆの下端を屋外側に向かって延長させた第２下側部７ｇと、この第２下側部７ｇの屋外側の端部を上向きに延長させ、鼻隠し１４に当接する第３立上部７ｈとによって軒先側に第２通気空間を形成し、前記垂下部７ｆに形成した第２通気口１６によって軒天裏と屋外とを連通させ、軒天裏の換気を向上させている。
【００５４】
さらに、図８もこの発明の軒天構造に使用する軒先側見切り縁７Ａの他の例である軒先側見切り縁７Ｄを示し、図７の軒先側見切り縁７Ｃよりもさらに軒天裏の換気を向上させている。
【００５５】
この図８の軒先側見切り縁７Ｄは、第３立上部７ｈを鼻隠し下地４の下面に当接するまで上方に延長し、この第３立上部７ｈの上端を屋外側に折り曲げて、鼻隠し下地４の下面に当接する第２上側部７ｉを設けている。第２上側部７ｉは、前記鼻隠し下地４の下面側から上向きに打ち込まれた釘やビス等の留め付け具１７によって、前記鼻隠し下地４の下面に固定されている。
【００５６】
そして、第３立上部７ｈには、第３通気口１８が形成され、この第３通気口１８により軒天裏と屋外とを連通させ、軒天裏の換気を向上させている。
【００５７】
また、前記軒先側見切り縁７Ｄには、下側部７ｂの軒元側端部と挿し込み部７ｄの軒元側端部との間に、第４通気口１９を備える立上部７ｊを設けている。
【００５８】
さらに、図９もこの発明の軒天構造に使用する軒先側見切り縁７Ａの他の例である軒先側見切り縁７Ｅを示し、図８の軒先側見切り縁７Ｄよりもさらに軒天裏の換気を向上させている。
【００５９】
この図９の軒先側見切り縁７Ｅは、第３立上部７ｈと垂下部７ｆの長さを、軒先側見切り縁７Ｄよりもさらに下向きに延長し、通気空間をより大きくすることによって軒天裏の換気をより向上させた例である。
【００６０】
次に、図１０は、軒元側固定金具１２Ａの変形例である軒元側固定金具１２Ｂを用いた実施形態であり、軒元側固定金具１２Ｂも図１の実施形態の軒元側固定金具１２Ａと同様に、上側部１２ａと、下側部１２ｂと、これらを繋ぐ立上部１２ｃとを備えて断面略コ字形状を有し、上側部１２ａに、釘やビス等の留め付け具１３の挿通孔１２ｄを設けている。この図１０の実施形態における軒元側固定金具１２Ｂは、図１１に示すように、下側部１２ｂの屋外側端の両縁部に、一部が切り込まれて略中央部が上側に突出するように屈曲された山形形状のバネ性を有する付勢部１２ｅを形成した点に特徴がある。前記付勢部１２ｅの先端裾側は、下側部１２ｂと略面一の高さにあり、差し込まれる前記軒天板１の下面によって当該付勢部１２ｅが徐々に下方に押されていくことになる。そして、この付勢部１２ｅは、前記軒天板１の下面に押されて下方に撓むとともに、当該軒天板１を前記上側部１２ａの方向（軒天板１の厚み方向）に押し上げる。
【００６１】
また、図１２及び図１３は、図１０及び図１１に示す軒元側固定金具１２Ｂの変形例である軒元側固定金具１２Ｄを用いた実施形態を示している。この図１２及び図１３に示す軒元側固定金具１２Ｄは、立上部１２ｃに、二点鎖線で示すように、前記軒天板１を軒先側に付勢する付勢部２１を設けている。付勢部２１は、板バネからなり、中央部が立上部１２ｃにカシメ固定され、板バネは中央の固定位置からから離れる端側ほど軒天板１の端面に近づくように曲げられている。
【００６２】
また、図１４及び図１５も、図１０及び図１１に示す軒元側固定金具１２Ｂの変形例である軒元側固定金具１２Ｅを用いた実施形態を示している。軒元側固定金具１２Ｅは、図１５に示すように、上側部１２ａの端部が上側に折り曲げられた取り付け部２３を有している。そして、この取り付け部２３には、留め付け具１３を野縁２に打ち込むための釘孔２４を設けている。また、この実施形態で用いる軒元側見切り縁１１Ｂは、上側部の端部が上側に折り曲げられて前記取り付け部２３に沿うようになっており、この曲げ部分に留め付け具１３が打ち込まれている。
【００６３】
次に、図１６〜図２８は、幅方向に隣り合う軒天板１の接合部分の横ずれ防止、垂れ防止及び野縁等に対する固定強度の向上のために使用する各種のジョイント金具を示している。
【００６４】
図１６〜図１８に示すジョイント金具３０Ａは、幅方向に隣り合う軒天板１の突合せ部分に位置する垂直板部３１と、この垂直板部３１の上方両側に設けられ、幅方向に隣り合う軒天板１の上面に位置する一対の上面板部３２と、前記垂直板部３１の下方両側に設けられ、幅方向に隣り合う軒天板１の端面に形成された雌サネ部３４に挿し込まれる挿し込み部３５とからなり、幅方向に隣り合う軒天板１の上面に位置する一対の上面板部３２のうちの少なくとも一方が野縁２等の下地に、釘やビス等の留め付け具８４によって留め付ける。
【００６５】
図１６及び図１７に示すジョイント金具３０Ａでは、幅方向に隣り合う軒天板１の上面に位置する一対の上面板部３２のうちの一方（図面上において左側）が釘やビス等の留め付け具８４によって野縁２等の下地に固定され、この固定側が他方よりも幅方向に長く形成し、留め付け具８４の挿通孔３８を形成している。
【００６６】
また、図１６の幅方向に隣り合う軒天板１の突合せ部分は、板厚の半分を互いに切り欠いて重なり部分を作った合い決り形状に形成され、重なり部分に雌サネ部３４を形成している。
【００６７】
前記ジョイント金具３０Ａは、図１８に示すように、幅方向に隣り合う軒天板１の突合せ部分が真っ直ぐな木口で、この木口に雌サネ部３４を形成した軒天板１の接合にも用いることができる。
【００６８】
次に、図１９及び図２０に示すジョイント金具３０Ｂは、図１６〜図１８に示すジョイント金具３０Ａの変形例であり、雌サネ部３４に挿し込まれる挿し込み部３５の両縁部に、一部が切り込まれて略中央部が上側に突出するように屈曲された山形形状のバネ性を有する付勢部３７を形成した点に特徴がある。この付勢部３７によって、ジョイント金具３０Ｂの挿し込み部３５と雌サネ部３４とのガタツキが防止され、幅方向に隣り合う軒天板１の接合部分の垂れを防止することができる。
【００６９】
また、図２１及び図２２に示すジョイント金具３０Ｃは、図１９及び図２０に示すジョイント金具３０Ｂの変形例であり、雌サネ部３４に挿し込まれる挿し込み部３５の一方の両縁部に、一部が切り込まれて略中央部が上側に突出するように屈曲された山形形状のバネ性を有する付勢部３７を形成し、他方の雌サネ部３４に挿し込まれる挿し込み部３５には、中央部分に上側に突出するように屈曲された山形形状のバネ性を有する付勢部３７を設けた点に特徴がある。
【００７０】
次に、図２３及び図２４のジョイント金具３０Ｄは、野縁２等に縦面に固定される固定板３９と、この固定板３９の下方に設けられ、軒天板１の上面に位置する上面板４１と、この上面板４１に設けられ、幅方向に隣り合う軒天板１の突合せ部分に挿し込まれるストッパー部４０とからなる。
【００７１】
このジョイント金具３０Ｄは、図２３に示すように、ストッパー部４０を幅方向に隣り合う軒天板１の突合せ部分に挿し込んだ後、上面板４１を軒天板１の上面に位置させて、固定板３９を鼻隠し下地、外壁もしくは野縁２の縦面に、釘やビス等の留め付け具８５によって固定することにより、隣り合う軒天板１の横ずれを防止することができる。このジョイント金具３０Ｄの固定板３９には、釘やビス等の留め付け具８５を挿通する挿通孔４２を形成している。
【００７２】
次に、図２５及び図２６のジョイント金具３０Ｅは、図２３及び図２４のジョイント金具３０Ｄの変形例であり、鼻隠し下地、外壁もしくは野縁２の縦面に固定される固定板３９と、この固定板３９の下方に設けられ、軒天板１の上面に位置する上面板４１と、この上面板４１に設けられ、幅方向に隣り合う軒天板１の突合せ部分に挿し込まれるストッパー部４０とからなる。このジョイント金具３０Ｅでは、上面板４１とストッパー部４０とが別体で形成されている。上面板４１は、幅方向に隣り合う軒天板の突合せ部分に設けられた上面溝３６に重なるスリット４３を有する。ストッパー部４０は、上面板４１の上面に重なる係合板部４４と、隣り合う軒天板１の突合せ部分の上面溝３６に嵌め込まれる嵌合部４５とからなる。ストッパー部４０の係合板部４４と嵌合部４５は、Ｔ字形に板材を折り曲げて形成されている。
【００７３】
図２５及び図２６のジョイント金具３０Ｅには、図２７及び図２８に示すように、上面板４１のスリット４３を、幅方向に隣り合う軒天板１の突合せ部分に設けられた上面溝３６に対して位置合わせを行い易くするために、前記上面板４１の下面に、幅方向に隣り合う軒天板１の突合せ部分の上面溝３６に係合する位置決め突起４６を設けておくことが好ましい。
【符号の説明】
【００７４】
１      ：軒天板
２      ：野縁
２ｂ    ：下側部
２ｃ    ：立上部
３      ：軒元側支持部材
４      ：鼻隠し下地
５      ：軒先側支持部材
６Ａ    ：軒先側固定金具
６ａ    ：上側支持片
６ｂ    ：下側支持片
６ｃ    ：垂下片
７Ａ、７Ｂ、７Ｃ、７Ｄ、７Ｅ    ：軒先側見切り縁
７ａ    ：上側部
７ｂ    ：下側部
７ｃ    ：立上部
７ｄ    ：挿し込み部
７ｅ    ：水返し片
７ｆ    ：垂下部
７ｇ    ：第２下側部
７ｈ    ：第３立上部
７ｉ    ：第２上側部
７ｊ    ：立上部
８、９、１３、１４、１７、８４、８５    ：留め付け具
１０    ：通気口
１１Ａ、１１Ｂ    ：軒元側見切り縁
１１ａ  ：上側部
１１ｂ  ：下側部
１１ｃ  ：立上部
１２Ａ、１２Ｂ、１２Ｄ、１２Ｅ    ：軒元側固定金具
１２ａ  ：上側部
１２ｂ  ：下側部
１２ｃ  ：立上部
１２ｄ  ：挿通孔
１２ｅ、２０、２１    ：付勢部
１５    ：熱膨張防火材
１６    ：第２通気口
１８    ：第３通気口
１９    ：第４通気口
２３    ：取り付け部
２４    ：釘孔
３０Ａ、３０Ｂ、３０Ｃ、３０Ｄ、３０Ｅ    ：ジョイント金具
３１    ：垂直板部
３２    ：上面板部
３４    ：雌サネ部
３５    ：挿し込み部
３６    ：上面溝
３７    ：付勢部
３８    ：挿通孔
３９    ：固定板
４０    ：ストッパー部
４１    ：上面板
４２    ：挿通孔
４３    ：スリット
４４    ：係合板部
４５    ：嵌合部
４６    ：位置決め突起
２０１  ：バネ片
２０２  ：連結部
２０３  ：バーリングカシメ部
２０４  ：釘孔
【図１】
2020125607.tif 000003
【図２】
2020125607.tif 000004
【図３】
2020125607.tif 000005
【図４】
2020125607.tif 000006
【図５】
2020125607.tif 000007
【図６】
2020125607.tif 000008
【図７】
2020125607.tif 000009
【図８】
2020125607.tif 000010
【図９】
2020125607.tif 000011
【図１０】
2020125607.tif 000012
【図１１】
2020125607.tif 000013
【図１２】
2020125607.tif 000014
【図１３】
2020125607.tif 000015
【図１４】
2020125607.tif 000016
【図１５】
2020125607.tif 000017
【図１６】
2020125607.tif 000018
【図１７】
2020125607.tif 000019
【図１８】
2020125607.tif 000020
【図１９】
2020125607.tif 000021
【図２０】
2020125607.tif 000022
【図２１】
2020125607.tif 000023
【図２２】
2020125607.tif 000024
【図２３】
2020125607.tif 000025
【図２４】
2020125607.tif 000026
【図２５】
2020125607.tif 000027
【図２６】
2020125607.tif 000028
【図２７】
2020125607.tif 000029
【図２８】
2020125607.tif 000030
【図２９】
2020125607.tif 000031
【図３０】
2020125607.tif 000032